(57)【要約】【課題】所定の採取位置で確実にソイルセメントのサンプルを採取することが可能なソイルセメントサンプル採取用具を提供する。【解決手段】周壁部７に窓開口８を有し、掘削及び撹拌用ロッド６の先端部に取り付けられる外筒体２と、外筒体２内に回転自在に嵌合される内筒体３と、内筒体３の周壁部９に設けた収納部入口１０より内筒体内部の採取管収納部１１に収納される、一端が開口したサンプル採取管５とからなるソイルセメントサンプル採取用具であって、内筒体３の周壁部９に外筒体２の窓開口８から外部へ突出する内筒体回転操作片１５を突設し、操作片１５を外筒体２の窓開口８の一端側から他端側まで一方向に回動させることにより内筒体３を回転して採取管収納部１１の収納部入口１０を外筒体２の周壁部７で覆って閉じ、操作片１５を逆方向に回動させることによって収納部入口１０を開けるようにする。【選択図】図１
2009197540.tif 000002
【特許請求の範囲】
【請求項１】
窓開口を有する周壁部と上下壁部とによって形成され、掘削土壌とセメントミルクとを混合撹拌する掘削及び撹拌用ロッドの先端部に取り付けられる外筒体と、外筒体内に回転自在に嵌合される内筒体と、内筒体の周壁部に設けた収納部入口より内筒体内部の採取管収納部に収納される、一端が開口したサンプル採取缶とからなるソイルセメントサンプル採取用具であって、内筒体の周壁部に外筒体の窓開口から外部へ突出する内筒体回転操作片を突設して、この操作片を外筒体の窓開口の一端側から他端側まで一方向に回動させることにより内筒体を回転して採取管収納部の収納部入口を外筒体の周壁部で覆って閉じ、操作片を逆方向に回動させることによって収納部入口を開けるようにし、使用にあたり、サンプル採取缶を、その開口端が採取管収納部の収納部入口に位置するように収納して、収納部入口を閉じた状態で、内筒体回転操作片が土壌抵抗を受けて収納部入口が閉じる方向に掘削及び撹拌用ロッドを回転させながら掘進し、採取位置まで掘進したら、前記ロッドを逆転させて収納部入口を開けてサンプルを採取し、採取後は前記ロッドを収納部入口が閉じる方向に回転させて引き上げるようにするソイルセメントサンプル採取用具。
【請求項２】
内筒体の外周面には、採取管収納部の収納部入口を閉じた時に外筒体の周壁部内周面との間で収納部入口の周辺部をシールするシール手段を設けてなる請求項１に記載のソイルセメントサンプル採取用具。
【請求項３】
シール手段は、内筒体周壁部外周面の収納部入口の両側を軸方向に通り且つ内筒体両端面側を直径方向に通るように取り付けた第一Ｏリングと、内筒体周壁部外周面の上下両端部に夫々周方向に取り付けた上下の第二Ｏリングとからなる請求項２に記載のソイルセメントサンプル採取用具。
【請求項４】
シール手段は、内筒体周壁部外周面の収納部入口の両側を軸方向に通り且つ内筒体両端面側を直径方向に通るように取り付けた第一Ｏリングと、内筒体周壁部外周面の上下両端部に夫々周方向に取り付けた上下の第二Ｏリングと、収納部入口の周辺で第一Ｏリング及び上下の第二Ｏリングによって囲まれる内筒体周壁部外周面部に貼り付けたゴムパッキンとからなるからなる請求項２に記載のソイルセメントサンプル採取用具。
【請求項５】
外筒体の下壁部をその周壁部に対し着脱自在に構成してなる請求項１〜４の何れかに記載のソイルセメントサンプル採取用具。
【請求項６】
外筒体の周壁部には窓開口の下辺側に、内筒体を外筒体の周壁部内に嵌合させる時に内筒体の内筒体回転操作片を窓開口に通し入れるための切欠開口溝を設けてなる請求項５に記載のソイルセメントサンプル採取用具。
【発明の詳細な説明】
【技術分野】
【０００１】
本発明は、軟弱地盤等を掘削し、その掘削土壌にセメントミルクを注入し、そのセメントミルクと掘削土壌とを混合撹拌して、地盤中にソイルセメント杭を造成するにあたり、掘削土壌とセメントミルクとが適正に混合撹拌されているどうかを確認するために、ソイルセメントが固化する前にペースト状の状態でそのサンプルを採取するのに使用されるソイルセメントサンプル採取用具に関するものである。
【背景技術】
【０００２】
従来のソイルセメントサンプル採取用具として、特許公報等の公知文献を具体的に挙げることはできないが、従来では、一般にサミット缶と称されているサンプル採取缶をホルダーに収納保持し、このホルダーを、掘削土壌とセメントミルクとを混合撹拌するソイルセメント造成装置の掘削及び撹拌用ロッドの先端部に取付け固定しておいて、このロッドを回転させながら下降させて削孔内の掘削された土壌とセメントミルクとを混合攪拌し、掘孔下端部のサンプル採取位置まで下降させた後、ロッドを引き上げる際に、混合されたソイルセメントのサンプルをサンプル採取缶に採取して、ロッドの引き上げによってサンプル採取缶を取り出すようにしている。
【発明の開示】
【発明が解決しようとする課題】
【０００３】
上記のような従来のソイルセメントサンプル採取用具では、掘削及び撹拌用ロッドの先端部に取付け固定したサンプル採取缶が、掘孔下端部のサンプル採取位置に到達する迄の間に、未だ十分に混合されていないソイルセメントを受け入れたりするなど、サンプル採取管が掘孔下端部の所定の採取位置で確実にソイルセメントのサンプルを採取することが難しいという問題があった。
【０００４】
本発明は、上記の事情に鑑み、サンプル採取管が掘孔下端部の所定の採取位置で確実にソイルセメントのサンプルを採取することが可能なソイルセメントサンプル採取用具を提供することを目的としている。
【課題を解決するための手段】
【０００５】
上記課題を解決するための手段を、後述する実施形態の参照符号を付して説明すると、請求項１に係る発明は、窓開口８を有する周壁部７と上下壁部１３，１４とによって形成され、掘削土壌とセメントミルクとを混合撹拌する掘削及び撹拌用ロッド６の先端部に取り付けられる外筒体２と、外筒体２内に回転自在に嵌合される内筒体３と、内筒体３の周壁部９に設けた収納部入口１０より内筒体内部の採取管収納部１１に収納される、一端が開口したサンプル採取管５とからなるソイルセメントサンプル採取用具であって、内筒体３の周壁部９に外筒体２の窓開口８から外部へ突出する内筒体回転操作片１５を突設して、この操作片１５を外筒体２の窓開口８の一端側から他端側まで一方向に回動させることにより内筒体３を回転して採取管収納部１１の収納部入口１０を外筒体２の周壁部７で覆って閉じ、操作片１５を逆方向に回動させることによって収納部入口１０を開けるようにし、使用にあたり、サンプル採取管５を、その開口端５ｏが採取管収納部１１の収納部入口１０に位置するように収納して、収納部入口１０を閉じた状態で、内筒体回転操作片１５が掘削土壌の抵抗を受けて収納部入口１０が閉じる方向に掘削及び撹拌用ロッド６を回転させながら掘進し、採取位置まで掘進したら、前記ロッド６を逆転させて収納部入口１０を開けてサンプルを採取し、採取後は前記ロッド６を収納部入口１０が閉じる方向に回転させて引き上げるようにすることを特徴とする。
【０００６】
請求項２は、請求項１に記載のソイルセメントサンプル採取用具において、内筒体３の外周面には、採取管収納部１１の収納部入口１０を閉じた時に外筒体２の周壁部７内周面との間で収納部入口１０の周辺部をシールするシール手段を設けてなることを特徴とする。
【０００７】
請求項３は、請求項２に記載のソイルセメントサンプル採取用具において、シール手段は、内筒体周壁部９外周面の収納部入口１０の両側を軸方向に通り且つ内筒体３の両端面側を直径方向に通るように取り付けた第一Ｏリング１９と、内筒体周壁部９外周面の上下両端部に夫々周方向に取り付けた上下の第二Ｏリング２０，２０とからなることを特徴とする。
【０００８】
請求項４は、請求項２に記載のソイルセメントサンプル採取用具において、シール手段は、内筒体周壁部９外周面の収納部入口１０の両側を軸方向に通り且つ内筒体３の両端面側を直径方向に通るように取り付けた第一Ｏリング１９と、内筒体周壁部９外周面の上下両端部に夫々周方向に取り付けた上下の第二Ｏリング２０，２０と、収納部入口１０の周辺で第一Ｏリング１９及び上下の第二Ｏリング２０，２０によって囲まれる内筒体周壁部９外周面部に貼り付けたゴムパッキン３４とからなることを特徴とする。
【０００９】
請求項５は、請求項１〜４の何れかに記載のソイルセメントサンプル採取用具において、外筒体２の下壁部１４をその周壁部７に対し着脱自在に構成してなることを特徴とする。
【００１０】
請求項６は、請求項５に記載のソイルセメントサンプル採取用具において、外筒体２の周壁部７には窓開口８の下辺側に、内筒体３を外筒体２の周壁部９内に嵌合させる時に内筒体３の内筒体回転操作片１５を窓開口８に通し入れるための切欠開口溝１７を設けてなることを特徴とする。
【発明の効果】
【００１１】
上記解決手段による発明の効果を、後述する実施形態の参照符号を付して説明すると、請求項１に係る発明によると、使用にあたって、外筒体２を、掘削及び撹拌用ロッド６の先端部に取り付け、サンプル採取管５を、その開口端５ｏが採取管収納部１１の収納部入口１０に位置するように収納して、採取管収納部１１の収納部入口１０を閉じた状態で、内筒体回転操作片１５が掘削土壌の抵抗を受けて収納部入口１０が閉じる方向にロッド６を回転させながら、ロッド６により掘削土壌中にセメントミルクを注入して、そのセメントミルクと掘削土壌とを混合撹拌しつつ掘削土壌中に下降させてゆけば、その下降中は採取管収納部１１の収納部入口１０が閉じたままとなり、ロッド６が所定深さまで下降した採取位置でロッド６を逆転させることにより収納部入口１０を開けてサンプルを採取し、採取後はロッド６を収納部入口１０が閉じる方向に回転させて採取管収納部１１の収納部入口１０を閉じた状態でロッド６を引き上げることにより、所定の採取位置でのみソイルセメントのサンプルを採取できるから、掘削土壌とセメントミルクとの混合状態を正確に把握することができる。
【００１２】
請求項２に係る発明のように、内筒体３の外周面には、採取管収納部１１の収納部入口１０を閉じた時に外筒体２の周壁部７内周面との間で収納部入口１０の周辺部をシールするシール手段を設けることによって、収納部入口１０の周辺部と収納部入口１０を閉じる外筒体２の本体周壁部７内周面との間をシールできて、より正確なサンプルの採取が可能となる。
【００１３】
請求項３に係る発明によれば、シール手段は、内筒体周壁部９外周面の収納部入口１０の両側を軸方向に通り且つ内筒体３の両端面側を直径方向に通るように取り付けた第一Ｏリング１９と、内筒体周壁部９外周面の上下両端部に夫々周方向に取り付けた上下の第二Ｏリング２０，２０とからなるもので、これら３つのＯリング１９，２０，２０によって収納部入口１０の周辺部と、収納部入口１０を閉じる外筒体２の本体周壁部７内周面との間を簡単にシールできる。
【００１４】
請求項４に係る発明のように、シール手段を、内筒体周壁部９外周面の収納部入口１０の両側を軸方向に通り且つ内筒体３の両端面側を直径方向に通るように取り付けた第一Ｏリング１９と、内筒体周壁部９外周面の上下両端部に夫々周方向に取り付けた上下の第二Ｏリング２０，２０と、収納部入口１０の周辺で第一Ｏリング１９及び上下の第二Ｏリング２０，２０によって囲まれる内筒体周壁部９外周面部に貼り付けたゴムパッキン３４とによって構成すれば、水密シールが良好となり、サンプル採取管５内への水の浸入を確実に防止できる。
【００１５】
請求項５に係る発明のように、外筒体２の下壁部１４をその周壁部７に対し着脱自在に構成することにより、外筒体２に対する内筒体３の組み付け及び取外しが容易となる。
【００１６】
請求項６に係る発明のように、外筒体周壁部７の窓開口８の下辺側に、内筒体３を外筒体２の周壁部９内に嵌合させる時に内筒体３の内筒体回転操作片１５を通し入れるための切欠開口溝１７を設けることによって、外筒体２に対する内筒体３の組み付け及び取外しが一層容易となる。
【発明を実施するための最良の形態】
【００１７】
以下に本発明の好適な一実施形態を図面に基づいて説明すると、図１の(a) は本発明に係るソイルセメントサンプル採取用具１の使用状態を示す正面図で、採取管収納部の収納部入口が開いている状態を示し、(b) は(a) のＸ−Ｘ線断面図であり、図２の(a) は採取管収納部の収納部入口が閉じた状態の正面図、(b) は(a) のＹ−Ｙ線断面図である。このソイルセメントサンプル採取用具１は、掘削土壌とセメントミルクとを混合撹拌する掘削及び撹拌用ロッド６の先端部に取付金具１２により着脱可能に取り付けられ、周壁部７に窓開口８を有する外筒体２と、この外筒体２内に回転自在に嵌合された内筒体３と、この内筒体３の周壁部９に設けた収納部入口１０より内筒体３内部の採取管収納部１１に収納される、一端５ｏが開口した円筒状のサンプル採取管５とから構成される。
【００１８】
上記ソイルセメントサンプル採取用具１の構造について更に詳しく説明すれば、図３の(a) は外筒体２の上壁部１３を示す正面図、(b) は(a) のＺ−Ｚ線断面図、図４の(a) は内筒体３の正面図、(b) は平面図であり、図５は内筒体３の周壁部７を示す正面図、(b) は平面図であり、図６の(a) は外筒体２の下壁部１４を示す正面図、(b) は平面図であり、(c) はサンプル採取管５を示す正面図である。また図７はソイルセメントサンプル採取用具１の分解斜視図であり、図８の(a) は内筒体３を示す斜視図、(b) は内筒体３の一部拡大斜視図である。
【００１９】
これらの図を参照すると、外筒体２は、図５〜図７から分かるように、下端部にフランジ１６を一体に形成した短円筒状の周壁部７と、この周壁部７の上端部に取付け固定される上壁部１３と、周壁部７の下端部に取外し可能に取り付けられる下壁部１４とからなるもので、周壁部７の正面側に横長矩形状の窓開口８が設けられ、そして窓開口８の下辺側からフランジ１６に亘って、周壁部７内に内筒体３を嵌合させる時に内筒体３の後記内筒体回転操作片１５を窓開口８内に通し入れるための切欠開口溝１７が形成されている。
【００２０】
内筒体３は、外筒体２内に回転自在に嵌合される短円筒状の周壁部９からなるもので、周壁部９の内部には、この周壁部９の正面側に開口形成された円形状の収納部入口１０より円筒状のサンプル採取管５を収納保持するための採取管収納部１１が設けられ、この採取管収納部１１は、採取管収納部１１が挿脱可能な両端開口状の円筒体からなるもので、内筒体３の収納部入口１０とこの収納部入口１０に対し内筒体３の直径方向対向位置に開口された円形開口部１８とに接続するように溶接により取付け固定されている。
【００２１】
また内筒体３の周壁部９には、図１、図２、図４及び図７に示すように、収納部入口１０に近い部位に、外筒体２の窓開口８から突出する矩形状の厚板片からなる内筒体回転操作片１５が、溶接によって一体に突設されている。この内筒体回転操作片１５は、外筒体２の窓開口８から突出していて、図１の(a) ，(b) に示すように窓開口８の一端側に位置している時には、内筒体３内にある採取管収納部１１の収納部入口１０が開いているが、この窓開口８の一端側にある内筒体回転操作片１５を掴んで図２の(a) ，(b) に示すように窓開口８の他端側まで回動させると、それに伴い内筒体３が回転して、収納部入口１０が外筒体２の周壁部７により覆われて閉じるようになっている。
【００２２】
内筒体回転操作片１５は、掘削及び撹拌用ロッド６を予め掘削された掘孔内の掘削土壌中で回転させる時に、当該操作片１５が掘削土壌の抵抗を受けることによって、採取管収納部１１の収納部入口１０を閉じる方向又は開く方向に内筒体３を外筒体２に対し相対回転させるものである。これを図１及び図２で説明すると、図１に示すように採取管収納部１１の収納部入口１０が開いている状態から、ロッド６を掘削土壌中において矢印Ａ方向に回転すると、ソイルセメントサンプル採取用具１の外筒体２はロッド６を中心に矢印Ａ方向に旋回移動するが、内筒体３は、これと一体の内筒体回転操作片１５が掘削土壌の抵抗を受けるため、外筒体２に対し相対的に回転して、採取管収納部１１の収納部入口１０が閉じてしまい、図２に示すような状態となる。また、図１に示すように収納部入口１０が閉じた状態から、ロッド６を矢印Ａと反対方向に回転すると、内筒体回転操作片１５は窓開口８の一端側で係止されるから、収納部入口１０は開いたままである。そして、図２に示すように収納部入口１０が閉じた状態から、ロッド６を掘削土壌中において矢印Ｂ方向（図１の矢印Ａ方向とは逆方向）に回転すると、内筒体回転操作片１５は掘削土壌の抵抗を受けるが、外筒体２の旋回移動が先行するから、内筒体３が外筒体２に対し相対回転して収納部入口１０を開放し、図１に示すような状態となる。
【００２３】
また、内筒体３の外周面には採取管収納部の収納部入口を取り囲む位置に、採取管収納部１１の収納部入口１０と、この収納部入口１０を閉じる外筒体２の周壁部７内周面との間をシールして、サンプル採取管５内への水の浸入を防止するためのシール手段が設けられている。このシール手段は、１個の第一Ｏリング１９と２個の第二Ｏリング２０，２０の３個のＯリングからなるもので、第一Ｏリング１９は、図７に示すように、内筒体周壁部９外周面の収納部入口１０の両側を軸方向に通り且つ内筒体３の両端面側を直径方向に通るように、更に詳しくは、収納部入口１０とこれの近くにある内筒体回転操作片１５との間の部位及びこれと直径方向反対側の部位を軸方向に通って且つ内筒体３の両端面側を直径方向に通るように取り付けられる。また、第二Ｏリング１９は、内筒体３の周壁部９外周面の上下両端部に夫々周方向に取り付けられる。このように３個のＯリング１９，２０，２０によって、採取管収納部１１の収納部入口１０とこの収納部入口１０を閉じる外筒体２の周壁部７内周面との間を簡単にシールすることができる。
【００２４】
これら第一及び第二Ｏリング１９，２０は、図８の(a) ，(b) に示すように内筒体３の外周面に形成されたリング係合溝２１、２２に係合させて取り付けられる。また、リング係合溝２１の上下両端部には、両方のＯリング１９，２０が直接交差することを回避するための切欠開口部２３を設けている。
【００２５】
採取管収納部１１は、一般にサミット缶と称されているもので、例えばステンレスなどの不銹性金属板によって一端側が開口し、他端側が閉塞された図５の(c) に示すような円筒状に形成され、外周面所要部には、同図に示すように、現場名、施工者名、採取した年月日、番号等を記入するためのシール２４が貼付されている。
【００２６】
上述のような構成部材からなるソイルセメントサンプル採取用具１を組み立てるには、先ず、所定位置に内筒体回転操作片１５が突設された内筒体３にシール手段としての３個のＯリング１９，２０，２０をリング係合溝２１、２２沿いに取り付けておく。そして、外筒体２の周壁部７の上端部に上壁部１３を嵌めて溶接により固着した後、周壁部７内に内筒体３を嵌め込む。この際、内筒体３に突設されている内筒体回転操作片１５を周壁部７の切欠開口溝１７に通し入れてから外筒体２の窓開口８より突出させる。この後、周壁部７の下端部に下壁部１４をボルト２５で取り付けることにより、組立を終える。この下壁部１４は、下壁部１４側に設けたボルト挿通孔２６と周壁部７の下端フランジ１６に設けたボルト挿通孔２７を使用してボルト結合すればよい。
【００２７】
上記のようにして組み立てたソイルセメントサンプル採取用具１は、使用にあたって、図１及び図２に示すように、外筒体２を取付金具１２によって掘削及び撹拌用ロッド６の先端部に取り付ける。この取付金具１２は、一対の円弧状掴持アーム２７，２８からなるもので、一方の掴持アーム２７の一端部２７ａは外筒体２側に固定され、他方の掴持アーム２８の一端部２８ａは外筒体２側に枢着されて掴持アーム２７に対して開閉自在とし、そして図１の(b) に示すように、掴持アーム２７をロッド６の所要箇所に係合させた後、掴持アーム２８を開放姿勢から閉じて両掴持アーム２７，２８の他端部２７ａｂ，２８ｂどうしをボルト・ナット（図示省略）で締結するようになっている。
【００２８】
図９の(a) は採取管収納部１１の収納部入口１０と外筒体２の周壁部７内周面との間をシールしてサンプル採取管５内への水の浸入を防止するシール手段の他の好適な実施形態を示す正面図、(b) は(a)のＶ−Ｖ線断面図である。このシール手段は、内筒体周壁部９外周面の収納部入口１０の両端側を軸方向に通り且つ内筒体３の両端面側を直径方向に通るように取り付けた第一Ｏリング１９と、内筒体周壁部９外周面の上下両端部に夫々周方向に取り付けた上下の第二Ｏリング２０，２０と、収納部入口１０の周辺で第一Ｏリング１９及び上下の第二Ｏリング２０，２０により囲まれる内筒体周壁部９外周面部に貼り付けたゴムパッキン３４とから構成される。このような第一Ｏリング１９と上下の第二Ｏリング２０，２０とゴムパッキン３４とからなるシール手段によれば、水密シールが良好となり、サンプル採取管５内への水の浸入を確実且つ有効に防止することができる。
【００２９】
上記のソイルセメントサンプル採取用具１によるソイルセメントの採取方法について、図１０及び図１１を参照して説明する。尚、図１０及び図１１において、２９はオーガ装置で、これの下端部に掘削及び撹拌用ロッド６を垂下連結している。３０はロッド６の先端に設けられた掘削刃、３１は掘削刃３０の上方に設けられた撹拌翼で、ソイルセメントサンプル採取用具１は、図示のように掘削刃３０と撹拌翼３１の間の掘削刃３０寄りの位置に取り付けられる。
【００３０】
先ず、図１０の(a) に示すように、オーガ装置に垂下連結した掘削及び撹拌用ロッド６により地盤の所定箇所を予め所定深さまで掘削して、ロッド６を引き上げた後、このロッド６の先端部にソイルセメントサンプル採取用具１を取り付け、採取管収納部１１を、その開口端が採取管収納部１１の収納部入口１０に位置するように収納し、そして採取管収納部１１の収納部入口１０を閉じた状態で、掘削及び撹拌用ロッド６を、内筒体回転操作片１５が掘削土壌の抵抗を受けて収納部入口１０を閉じる方向（図１の(b) の矢印Ａ方向、図１０の(b) の矢印ａ方向）に回転させながら、このロッド６の先端部より掘孔３２内の掘削土壌中にセメントミルクを注入して、そのセメントミルクと掘削土壌とを混合撹拌しつつ、図１０の(b) に示すように掘削土壌中に掘削下降（掘進）してゆく。
【００３１】
掘削及び撹拌用ロッド６が図１０の(c) に示すように所定深さのサンプル採取位置まで下降したならば、掘削及び撹拌用ロッド６を図１１の(a) に示すように一時的に逆転（図２(b) の矢印Ｂ方向、図１１の(a) の矢印ｂ方向に回転）させることにより、取管収納部１１の収納部入口１０を開放して、掘削土壌とセメントミルクとが撹拌混合されたソイルセメントのサンプルを採取する、即ちそのサンプルを収納部入口１０からサンプル採取管５内に取り入れる。尚、サンプル採取管５に取り入れたソイルセメントは、固化した後に採取管５を破断して取り出すようになっている。
【００３２】
こうしてサンプルを採取した後、再び掘削及び撹拌用ロッド６を、図１１の(b) に示すように、内筒体回転操作片１５が掘削土壌の抵抗を受けて収納部入口１０を閉じる方向（図１(b) の矢印Ａ方向、図１１の(b) の矢印ａ方向）に回転させながら引き上げてゆき、そして同図の(c) に示すようにロッド６が地上に引き上げられたならば、ロッド６の回転を停止させ、内筒体回転操作片１５を手で掴んで内筒体３を回転させて、採取管収納部１１の収納部入口１０を開け、サンプル採取管５を採取管収納部１１から取り出す。掘削及び撹拌用ロッド６を地上に引き上げた後の地盤中には、混合された掘削土壌とセメントミルクとからなるソイルセメント杭３３が造成される。
【００３３】
以上説明したように、このソイルセメントサンプル採取用具１によれば、使用にあたって、外筒体２を、掘削及び撹拌用ロッド６先端部の掘削刃３０より手前側所要位置に取り付け、サンプル採取管５を、その開口端５ｏが採取管収納部１１の収納部入口１０に位置するように収納しておいて、採取管収納部１１の収納部入口１０を閉じた状態で、内筒体回転操作片１５が掘削土壌の抵抗を受けて収納部入口１０を閉じる方向に掘削及び撹拌用ロッド６を回転させながら、ロッド６により掘削土壌中にセメントミルクを注入して、そのセメントミルクと掘削土壌とを混合撹拌しつつ掘削土壌中に下降させてゆけば、その下降中は採取管収納部１１の収納部入口１０が閉じたままであるから、攪拌中の掘削土壌・セメントミルクがサンプル採取管５内に入ることはないし、内筒体３の内部に入り込むこともない。しかして、ロッド６が所定深さまで下降した採取位置でロッド６を逆転させることにより、収納部入口１０を開けてサンプルを採取し、採取後はロッド６を収納部入口１０を閉じる方向に回転させて採取管収納部１１の収納部入口１０を閉じた状態でロッド６を引き上げることにより、所定の採取位置でのみペースト状ソイルセメントのサンプルを採取でき、従って掘削土壌とセメントミルクとの混合状態を正確に把握することができる。
【００３４】
また、内筒体３の外周面には、採取管収納部１１の収納部入口１０を閉じた時に外筒体２の周壁部７内周面との間で収納部入口１０の周辺部をシールするシール手段が設けてあって、そのシール手段は、１個の第一Ｏリング１９と２個の第二Ｏリング２０，２０の３個のＯリングからなるもので、第一Ｏリング１９は、内筒体３の周壁部９外周面における収納部入口１０とこれに近くにある内筒体回転操作片１５との間を通り且つ内筒体３の両端面側を直径方向に通るように掛け回して取り付け、上下の第二Ｏリング２０，２０は、内筒体３の周壁部９の外周面の上下両端部に夫々周方向に取り付けるようにしたもので、この３つのＯリング１９，２０，２０によって、収納部入口１０の周辺部と、収納部入口１０を閉じる外筒体２の周壁部７内周面との間を簡単にシールすることができる。
【００３５】
また、シール手段を、図９に示すように、内筒体周壁部９外周面の収納部入口１０の両側を軸方向に通り、内筒体３の両端面側を直径方向に通るように取り付けた第一Ｏリング１９と、内筒体周壁部９外周面の上下両端部に夫々周方向に取り付けた上下の第二Ｏリング２０，２０と、収納部入口１０の周辺で第一Ｏリング１９及び上下の第二Ｏリング２０，２０によって囲まれる内筒体周壁部９の外周面部に貼り付けたゴムパッキン３４とにより構成した場合には、水密シールが良好となって、内筒体３内部への水の浸入を確実且つ有効にに防止することができ、採取管収納部１１の収納部入口１０を開ける時以外は、水、掘削土壌、ペースト状ソイルセメントなどが収納部入口１０よりサンプル採取管５内部に浸入することがなく、より一層正確なサンプルの採取が可能となる。
【図面の簡単な説明】
【００３６】
【図１】(a) は本発明に係るソイルセメントサンプル採取用具の使用状態を示す正面図で、採取管収納部の収納部入口が開いている状態を示し、(b) は(a) のＸ−Ｘ線断面図である。
【図２】(a) は採取管収納部の収納部入口が閉じた状態の正面図、(b) は(a) のＹ−Ｙ線断面図である。
【図３】(a) は外筒体の上壁部を示す正面図であり、(b) は(a) のＺ−Ｚ線断面図である。
【図４】(a) は内筒体の正面図、(b) は平面図である。
【図５】(a) は内筒体の周壁部を示す正面図、(b) は平面図である。
【図６】(a) は外筒体の下壁部を示す正面図、(b) は平面図であり、(c) はサンプル採取管を示す正面図である。
【図７】ソイルセメントサンプル採取用具の分解斜視図である。
【図８】(a) は内筒体を示す斜視図、(b) は内筒体の一部拡大斜視図である。
【図９】(a) はシール手段の他の好適実施形態を示す正面図、(b) は(a) のＶ−Ｖ線断面図である。
【図１０】(a) 〜(c) はソイルセメントサンプル採取用具によるソイルセメントの採取方法の前半を説明する説明図である。
【図１１】(a) 〜(c) は同上のソイルセメントの採取方法の後半を説明する説明図である。
【符号の説明】
【００３７】
１            ソイルセメントサンプル採取用具
２            外筒
３            内筒体
５            サンプル採取管
６            掘削及び撹拌用ロッド
７            外筒体の周壁部
８            外筒体の窓開口
９            内筒体の周壁部
１０          収納部入口
１１          採取管収納部
１３          外筒体の上壁部
１４          外筒体の下壁部
１５          内筒体回転操作片
１７          切欠開口溝
１９          第一Ｏリング
２０          第二Ｏリング
３４          ゴムパッキン
【図１】
2009197540.tif 000003
【図２】
2009197540.tif 000004
【図３】
2009197540.tif 000005
【図４】
2009197540.tif 000006
【図５】
2009197540.tif 000007
【図６】
2009197540.tif 000008
【図７】
2009197540.tif 000009
【図８】
2009197540.tif 000010
【図９】
2009197540.tif 000011
【図１０】
2009197540.tif 000012
【図１１】
2009197540.tif 000013